(57)【要約】      （修正有）【課題】倉庫等の天井が高く、さらに構造上、空間面積の大きい施設を対象に、水損を抑えつつ確実に火災の抑制消火を可能とする。【解決手段】倉庫等の大きな防護空間１２の上部平面に格子状に複数のシート展開装置１４が配置される。シート展開装置１４は、ロール状に巻き回された仕切シート３６を保持し、外部からの作動信号により仕切シート３６の保持を解除したときに、仕切シート３６の一端を固定した状態で落下させることにより上下に展開させる。火災受信盤等に設けられたシート展開制御部は、火災時に、火災発生場所となる倉庫内の火災が発生した対象区画Ａ５を囲むように位置する複数のシート展開装置１４に作動信号を出力し、対象区画Ａ５を囲むように仕切シート３６を上下に展開して閉鎖させ、炎、煙及び熱の外部への放出を抑制し、消火ヘッド１８から消火剤を散布させ、冷却剤散布ヘッドからシート面に冷却水を散布する。【選択図】図４
2020080953.tif 000002
【特許請求の範囲】
【請求項１】
防護空間の火災を抑制消火する防災設備に於いて、
前記防護空間内の火災発生時に、火災発生場所を含む任意の対象区画を仕切る仕切手段と、
前記仕切手段で仕切られた前記対象区画内に消火剤を散布する消火手段と、
前記対象区画を仕切る前記仕切手段に冷却剤を散布する冷却剤散布手段と、
が設けられたことを特徴とする防災設備。
【請求項２】
防護空間の火災を抑制消火する防災設備に於いて、
防護空間内の火災発生時に、火災発生場所を含む任意の対象区画を仕切ると共に前記対象区画の外側の区画を仕切る仕切手段と、
前記仕切手段で閉鎖された前記対象区画内に消火剤を散布する消火手段と、
前記対象区画を仕切る前記仕切手段に冷却剤を散布する冷却剤散布手段と、
が設けられたことを特徴とする防災設備。
【請求項３】
請求項２記載の防災設備に於いて、
前記仕切手段は、前記対象区画の仕切状況に応じて前記対象区画の外側の区画を仕切ることを特徴とする防災設備。
【請求項４】
請求項１又は２記載の防災設備に於いて、前記仕切手段は、防火性、耐火性、耐熱性又は遮煙性を有する布状体を用いた仕切シートを有し、通常時は前記仕切シートを非展開状態に保持し、火災発生時に前記仕切シートの保持を解除して展開することにより前記対象区画を仕切ることを特徴とする防災設備。
【請求項５】
請求項１又は２記載の防災設備に於いて、前記消火手段は前記消火剤として消火用水又は消火泡を散布し、前記冷却剤散布手段は前記冷却剤として消火用水を散布することを特徴とする防災設備。
【請求項６】
請求項１又は２記載の防災設備に於いて、前記冷却剤散布手段は、前記仕切手段の外側、内側、又は外側と内側に前記冷却剤を散布することを特徴とする防災設備。
【発明の詳細な説明】
【技術分野】
【０００１】
本発明は、倉庫等の大空間で発生した火災を抑制消火する防災設備に関する。
【背景技術】
【０００２】
従来、監視区域で発生した火災を抑制消火する防災設備としては、火災感知器が火災を検出した場合に火災検出に連動して金属製の防火シャッターを閉鎖することにより防火区画を形成して火災の拡大を抑制する火災報知設備（特許文献１）や、火災による熱気流を受けてスプリンクラーヘッドが開放作動することで消火用水を散布して火災を抑制消火するスプリンクラー消火設備（特許文献２）が知られている。
【０００３】
また、機械式駐車場を対象とした防災カーテン消火システムが知られている（特許文献３）。この防災カーテン消火システムは、機械式駐車場の車両が入る駐車部を有する駐車ステージが多段に設けられ、各駐車部の天井の前部と両側部に防災カーテンが設けられ、火災感知器により駐車部の火災を検出すると防災カーテンが降下して前部と両側部を封鎖し、消火ノズルから消火ガスを噴出して消火するようにしている。
【先行技術文献】
【特許文献】
【０００４】
【特許文献１】特開２０１７−２１１７８０号公報
【特許文献２】特開２０１５−１４６８４０号公報
【特許文献３】特開平５−１５４２１６号公報
【発明の概要】
【発明が解決しようとする課題】
【０００５】
しかしながら、このような従来の防災設備にあっては、倉庫等のように広い空間をもつ施設に適用する場合に問題があった。
【０００６】
例えば金属製の防火シャッターは遮熱性が十分ではなく、設備構造が大がかりであり、火災後の改修等も容易ではない。
【０００７】
また、従来、防護区画は部屋やフロアの配置構成に合わせて、比較的広い面積について形成されるものであるが、規模の大きな大倉庫等では、大空間を構築する構造上の特徴や倉庫内に配置したラック棚等に物資を収納して出し入れする物流上の特徴から、従来のような防火シャッターを使用して、細かく防火区画を形成することは現実的ではない。
【０００８】
また、倉庫のように高天井である場合、例えばスプリンクラー消火設備による消火用水は落下する途中で飛散して単位面積当たりの散布量が低下して散水効率が低く、一方では広範囲に散水が及び水損が拡大する問題がある。
【０００９】
また、防災カーテン消火システムは、機械式駐車場の駐車部のように、消火対象区画が支柱構造により上下左右に仕切られた区画構造の場合には問題ないが、倉庫のように仕切り構造を持たない大空間に適用することは困難である。
【００１０】
本発明は、倉庫等の天井が高く、さらに構造上、空間面積の大きい施設を対象に、水損を抑えつつ確実に火災の抑制消火を可能とする防災設備を提供することを目的とする。
【課題を解決するための手段】
【００１１】
（防災設備の第１発明）
本発明は、防護空間の火災を抑制消火する防災設備に於いて、
防護空間内の火災発生時に、火災発生場所を含む任意の対象区画を仕切る仕切手段と、
仕切手段で仕切られた対象区画内に消火剤を散布する消火手段と、
対象区画を仕切る仕切手段に冷却剤を散布する冷却剤散布手段と、
が設けられたことを特徴とする。
【００１２】
（防災設備の第２発明：多重の仕切区画）
本発明の別の形態にあっては、防護空間の火災を抑制消火する防災設備に於いて、
防護空間内の火災発生時に、火災発生場所を含む任意の対象区画を仕切ると共に対象区画の外側の区画を仕切る仕切手段と、
仕切手段で閉鎖された対象区画内に消火剤を散布する消火手段と、
対象区画を仕切る仕切手段に冷却剤を散布する冷却剤散布手段と、
が設けられたことを特徴とする。
【００１３】
（多重区画の形態）
仕切手段は、火災発生場所を含む対象区画の仕切状況に応じて対象区画の外側の区画を仕切る。
【００１４】
（仕切シートの保持と展開）
仕切手段は、防火性、耐火性、耐熱性又は遮煙性を有する布状体を用いた仕切シートを有し、通常時は仕切シートを非展開状態に保持し、火災発生時に仕切シートの保持を解除して展開することにより対象区画を仕切る。
【００１５】
（消火剤と冷却水の散布）
消火手段は、消火剤として消火用水又は消火泡を散布し、冷却剤散布手段は冷却剤として冷却水を散布する。
【００１６】
（仕切手段の外側への冷却剤散布）
冷却剤散布手段は、仕切手段の外側、内側、又は、外側と内側に、冷却剤を散布する。
【発明の効果】
【００１７】
（防災設備の第１発明の効果）
本発明は、防護空間の火災を抑制消火する防災設備に於いて、防護空間内の火災発生時に、火災発生場所を含む任意の対象区画を仕切る仕切手段と、仕切手段で仕切られた対象区画内に消火剤を散布する消火手段と、対象区画を仕切る仕切手段に冷却剤を散布する冷却剤散布手段とが設けられたため、倉庫等の仕切り構造のない広い防護空間で火災が発生したときに、火災発生場所を含む対象区画を周囲から仕切るように閉鎖することで仕切区画が広い防護空間の中に形成され、遮炎、遮煙、遮熱により延焼防止、煙拡散防止の効果が期待でき、また、消火手段により消火剤を散布する相乗効果により、延焼防止性能を更に高めることが期待できる。
【００１８】
また、火災発生場所を含む対象区画を閉鎖した仕切区画の中に消火用水又は消火泡等の消火剤を散布することで、散布した消火剤が周囲に広がることがなく、火災発生場所に対し集中した散布を可能として確実に火災を抑制消火でき、消火効率が向上すると共に、周囲に対する拡散が防止され、水損等を必要最小限に抑えることができる。
【００１９】
また、対象区画を仕切る仕切手段に冷却剤を散布することで、仕切手段の遮炎性、遮煙性、遮熱性をさらに高めることができる。
【００２０】
（防災設備の第２発明による多重の仕切区画の効果）
本発明の別の形態にあっては、防護空間の火災を抑制消火する防災設備に於いて、防護空間内の火災発生時に、火災発生場所を含む任意の対象区画を仕切ると共に対象区画の外側の区画を仕切る仕切手段と、仕切手段で閉鎖された対象区画内に消火剤を散布する消火手段と、対象区画を仕切る仕切手段に冷却剤を散布する冷却剤散布手段とが設けられたため、前述した第１発明の効果に加え、火災発生場所を少なくとも二重に囲む仕切区画が形成され、遮炎、遮煙、遮熱により延焼防止、煙拡散防止の効果を更に高めることができる。
【００２１】
（多重区画の形態による効果）
また、第２発明の仕切手段は、火災発生場所を含む対象区画の仕切状況に応じて対象区画の外側の区画を仕切るようにしたため、例えば火災発生場所が防護空間の中央か壁際かにより仕切手段による仕切状況が異なることから、これに併せて仕切手段のみ又は仕切手段と側壁との組み合わせにより対象区画の外側を仕切ることができる。
【００２２】
（仕切シートの保持と展開による効果）
また、仕切手段は、防火性、耐火性、耐熱性又は遮煙性を有する布状体を用いた仕切シートを有し、通常時は仕切シートを非展開状態に保持し、火災発生時に仕切シートの保持を解除して展開することにより対象区画を仕切るようにしたため、従来の鋼製の防火シャッターの場合、床に障害物があると床まで降下せず、すき間が空くので消火、延焼防止等の効果が低減してしまうが、布状である仕切シートは柔軟性があるので、長めに採寸しておくとすき間の発生を抑制することができ、消火、延焼防止等の低減度合いが抑制できる。
【００２３】
（消火剤と冷却水の散布による効果）
また、消火手段は、消火剤として消火用水又は消火泡を散布し、冷却剤散布手段は冷却剤として冷却水を散布するようにしたため、仕切手段により仕切られた火災発生場所を含む対象区画に例えば高密度、中発泡、高発報の消火泡を散布することで、消火泡の拡散を防止できるため、有効な消火を行うことが期待でき、さらに、高発消火泡の場合には、仕切手段で取り囲まれた中に、消火泡を逸失することなく積み上げられるので、高い消火効果に加え、消火剤の周囲への放出が抑制され、消火剤の散布被害、例えば水損被害の大幅な低減が可能となる。また、冷却剤散布手段により仕切手段に冷却水を散布して濡らすことで、仕切手段の遮炎性、遮煙性、遮熱性をさらに高めることができる。
【００２４】
（仕切りに対する冷却剤の散布方向の効果）
また、冷却剤散布手段は、仕切手段の外側、内側、又は、外側と内側に、冷却剤を散布するようにしたため、仕切手段で仕切られた火災発生場所に例えば消火泡を散布した場合には、仕切手段の外側に冷却剤を散布することで、散布された消火泡を冷却剤の散布により消失させることなく、冷却剤の散布により仕切手段の火災に対する直接的な遮炎性、遮煙性、遮熱性を高めることができる。なお、ここでは対象区画の中心に向かう面側を内側、その反対面側を外側としている。
【図面の簡単な説明】
【００２５】
【図１】防災設備の実施形態を示した説明図
【図２】防災設備に設置されるシート展開装置の実施形態を示した説明図
【図３】防災設備に設けた火災受信盤、シート展開制御装置及び消火制御盤を示したブロック図
【図４】火災発生場所を囲む周囲４箇所に仕切シートを展開する防災設備の制御動作を示した説明図
【図５】図４の仕切シートの展開に対する冷却水の散布を平面で示した説明図
【図６】火災発生場所を囲む周囲２箇所に仕切シートを展開する防災設備の制御動作を示した説明図
【図７】図６の仕切シートの展開に対する冷却水の散布を平面で示した説明図
【図８】火災発生場所を二重の仕切区画を形成して仕切る実施形態を平面で示した説明図
【図９】二重仕切区画の他の例を平面で示した説明図
【発明を実施するための形態】
【００２６】
［防災設備］
図１は防災設備の実施形態を示した説明図、図２は防災設備に設置されるシート展開装置の実施形態を示した説明図であり、図２（Ａ）に通常状態を示し、図２（Ｂ）に火災時の仕切シートの展開状態、図２（Ｃ）は下側から見た平面を示す。更に図３は防災設備に設けた火災受信盤、シート展開制御装置及び消火制御盤を示したブロック図である。
【００２７】
［実施形態の基本的な概念］
本実施形態の防災設備１０は、倉庫等の広い防護空間１２内で火災が発生したときに、仕切手段として機能する防火性、耐火性又は耐熱性を有する布状体である仕切シート３６を展開し、火災発生場所を含む任意の対象区画Ａ１〜Ａ９の何れかを仕切シート３６により囲僥することにより閉鎖し、仕切シート３６により閉鎖された対象区画内に消火手段として機能する例えば消火ヘッド１８から消火剤として消火用水又は消火泡を散布し、また、展開した仕切シート３６に冷却剤散布手段として機能する冷却剤散布ヘッド２１から冷却剤として冷却水を散布するものであり、火災発生場所を含む対象区画を周囲から仕切るように閉鎖することで防護空間１２の中に仕切区画が形成され、遮炎、遮煙、遮熱により延焼防止、煙拡散防止が期待できる。また、消火ヘッド１８からの消火用水又は消火泡の散布と仕切シート３６の相乗効果により、延焼防止性能を更に高められ、散布した消火剤が周囲に広がることがなく、火災発生場所に対し集中した散布を可能として確実に火災を抑制消火でき、また、周囲への飛散が防止され、水損を必要最小限に抑えることができ、また、対象区画を仕切る仕切シート３６に冷却剤を散布することで、仕切シート３６の遮炎性、遮煙性、遮熱性をさらに高めることができる、というものである。
【００２８】
ここで、仕切手段として機能する仕切シート３６は、防護空間１２内の火災発生場所を含む任意の対象区画を閉鎖して仕切区画を形成するものであるが、対象区画を閉鎖するとは、火災に伴う炎、煙又は熱の外部への放出を抑制するように対象区画を閉鎖し、且つ、消火ヘッド１８により対象区画に散布する消火剤の外部への散逸、放出を抑制するという意味であり、仕切シート３６の展開により対象区画を完全に密封するように閉鎖する以外に、対象区画の周囲を囲僥するが上部は開口した閉鎖や、展開した複数の仕切シート３６の合わせ目に隙間が残る状態での閉鎖等を含むものである。
【００２９】
即ち、仕切手段として機能する仕切シート３６による対象区画の閉鎖とは、完全に閉鎖するのみならず、遮炎、遮煙、遮熱等の一定の効果が得られる程度に閉鎖する場合を含むものである。
【００３０】
（防災設備の概要）
図１に示すように、本実施形態の防災設備１０は、大型倉庫等の防護空間１２を対象に設置され、防護空間１２の天井側となる上部平面に、本実施形態にあっては仕切手段として機能する仕切シート３６を火災時に展開する１２台のシート展開装置１４を格子状に配置している。なお、シート展開装置１４は防護空間１２の天井面以外に、例えば天井面よりやや下側の空間位置に設置することも可能である。
【００３１】
ここで、シート展開装置１４の格子状の配置に対応した防護空間１２の点線で分けられた空間を、シート展開装置１４による仕切シートの展開により閉鎖される対象区画Ａ１〜Ａ９とする。また、防護空間１２における対象区画のサイズ、形状、区画数は、シート展開装置１４により展開する仕切シートのサイズに応じて任意に定められる。
【００３２】
（シート展開装置）
シート展開装置１４は、図２（Ａ）に示すように、装置本体３４を防護空間１２の天井面側に固定し、装置本体３４に仕切シート３６の一端をシート固定部３７により固定し、仕切シート３６はロール状に巻き回された状態で装置本体３４の下側にワイヤ又はロープを用いた保持部材３８により左右２箇所で吊下げ状態に保持されている。
【００３３】
仕切シート３６は、防火性、耐火性、耐熱性又は遮煙性を有する布状体であり、例えば１２００℃の高熱に耐えることができ、耐火シート、耐火カーテン、耐火幕等とも呼ばれるシートである。なお、仕切シート３６としては、１２００℃以下であっても、例えば数百度以上の耐熱性能を持つものであれば良い。
【００３４】
ワイヤ又はロープを用いた保持部材３８は一端が装置本体３４に固定され、他端はロール状に巻かれた仕切シート３６の下側を通して装置本体３４に設けられたラッチ解除作動部４０に着脱自在に保持され、抜け止めされている。ラッチ解除作動部４０は、外部信号による例えばソレノイドの通電によりラッチを解除する。
【００３５】
シート展開装置１４は、火災時に外部からの作動信号によりラッチ解除作動部４０を作動すると保持部材３８の一端の保持が解除され、仕切シート３６は図２（Ｂ）に示すように、仕切シート３６の一端が装置本体３４に固定された状態で自重により落下して下方に展開される。
【００３６】
ここで、図２（Ｂ）のように展開した仕切シート３６の長さは、シート展開装置１４の設置高さよりも長めに採寸しておくようにする。これは対象区画の下面となる床面に荷物や設備機器等の機材が置かれている場合があり、落下展開したときに床面に機材があってもシートの弛みにより隙間ができにくいようにするためである。
【００３７】
再び図１を参照するに、防護空間１２の近傍にはシート展開制御装置２２が設置され、図３に示すように、信号回線３０ｂを介して防護空間１２に設置された１２台のシート展開装置１４のラッチ解除作動部４０を接続しており、各シート展開装置１４のラッチ解除作動部４０を個別に作動して仕切シート３６を上下方向に展開可能としている。
【００３８】
図１及び図３に示したシート展開制御装置２２には、対象区画Ａ１〜Ａ９の何れかで火災が発生した場合、火災が発生した対象区画Ａ１〜Ａ９の内、当該火災が発生した対象区画を囲むように仕切シート３６を展開するため、対象区画Ａ１〜Ａ９に対応して作動すべきシート展開装置１４の関係が予め記憶されている。
【００３９】
なお、シート展開装置１４としては、仕切シート３６を回転軸に巻き、火災時に回転軸のラッチを解除して仕切シート３６を自重で落下展開させる構造としてもよい。また、シート展開装置１４の仕切シート３６を蛇腹状に折り畳んだ状態で保持し、火災時に保持を解除して落下展開させる構造としてもよい。
【００４０】
また、シート展開装置１４における仕切シート３６の保持解除は、火災時に外部からの作動信号による以外に、火災による熱を受けたヒューズの溶断により保持を解除するヒュージブルリンクを用いた感熱作動型としてもよい。また、用途、規模、形状により各方式を組み合わせた複合型としても良い。
【００４１】
（火災報知設備）
図１に示す防護空間１２における対象区画Ａ１〜Ａ９の天井面側の各々には火災感知器１６が設置され、図１及び図３に示すように、火災受信盤２４から引き出された信号回線３０ａに接続されている。
【００４２】
火災感知器１６は例えば伝送機能を備えると共に固有のアドレスが設定されており、火災発報した場合にアドレスを含む火災信号を送信することで、火災受信盤２４は対象区画Ａ１〜Ａ９のどの場所で火災が発生したかを識別でき、火災警報を出力すると共に、火災が発生した対象区画を示す移報信号を消火制御盤２８に送信するようにしている。
【００４３】
このためシート展開制御装置２２は、火災受信盤２４から移報信号により受信した火災発生場所となる対象区画Ａ１〜Ａ９の何れかに対応して、火災が発生した対象区画の周囲を囲むようにシート展開装置１４を作動して仕切シート３６を展開させる。
【００４４】
（消火設備）
図１に示す防護空間１２における対象区画Ａ１〜Ａ９の天井面側の各々には、消火手段として、例えば消火用水又は消火泡を散布する消火ヘッド１８が配置され、消火ヘッド１８は開閉弁２０を介して消火剤供給設備２６からの消火配管３２に接続されている。
【００４５】
消火剤供給設備２６は消火ポンプ設備又は泡消火ポンプ設備であり、火災受信盤２４で火災警報が出力された場合、消火ポンプ設備の起動により消火用水が供給されるか、又は泡消火ポンプ設備の起動により泡消火液が供給される。なお、消火ポンプ設備又は泡消火ポンプ設備の起動は、手動操作による起動又は火災受信盤２４からの移報信号による連動起動とする。ここで、消火剤供給設備２６、消火ヘッド１８、これらを接続する配管および開閉弁２０は消火手段を構成する。なお、消火ヘッド１８に代えて散水ヘッドを設け、対象区画へ散布する消火剤を消火用水としても良い。
【００４６】
開閉弁２０に対しては、図１及び図３に示すように、消火制御盤２８から引き出された信号回線３０ｃが接続されている。消火制御盤２８は、火災受信盤２４から移報信号により受信した火災発生場所となる対象区画Ａ１〜Ａ９の何れかに対応して、火災が発生した対象区画に配置した開閉弁２０に開駆動信号を送信して開放させ、火災発生場所となる対象区画への消火用水又は消火泡の散布を行う。
【００４７】
ここで、消火制御盤２８による開閉弁２０の開放により消火剤、例えば消火用水又は消火泡を散布するときには、火災発生場所となる対象区画を囲むように対応するシート展開装置１４を作動して仕切シート３６を展開している必要があることから、仕切シート３６の展開を係員がシート展開制御装置２２の表示から確認した後に、手動操作により対応する開閉弁２０を開駆動させて消火用水又は消火泡を散布させる。勿論、シート展開制御装置１４のシート展開作動に連動して消火制御盤２８で自動機に火災発生場所となる対象区画に対応する開閉弁２０を開駆動しても良い。
【００４８】
対象区画Ａ１〜Ａ９に消火剤を散布する消火手段としては、対象区画Ａ１〜Ａ９毎に閉鎖型のスプリンクラーヘッドを設けてもよいし、また、放水ノズルから消火用水を対象区画Ａ１〜Ａ９に放水する放水銃装置を設けてもよい。
【００４９】
［シート冷却設備］
図１に示した防護空間１２の天井側となる上部平面に格子状に配置されたシート展開装置１４には、火災時に展開した仕切シート３６に冷却剤として例えば水を散布する冷却剤散布ヘッド２１が設けられる。
【００５０】
図２のシート展開装置１４に示すように、装置本体３４の両側に取り出された配管に冷却剤散布手段である冷却剤散布ヘッド２１が設けられており、各冷却剤散布ヘッド２１に対しては装置本体３４内を通して冷却配管３３が開閉弁３５を介して接続され、火災時に図１に示す冷却剤供給設備２７から消火用水の供給を受けて、図２（Ｂ）のように展開した仕切シート３６の対象区画の例えば外側シート面に冷却剤として水を散布する。なお、図１は開閉弁３５を省略している。
【００５１】
冷却剤供給設備２７は送水ポンプ設備であり、消火制御盤２８による消火剤供給設備２６に連動して起動される。また、開閉弁３５に対しては、図３に示すように、消火制御盤２８から引き出された信号回線３０ｄが接続され、消火制御盤２８は、火災受信盤２４から移報信号により受信した火災発生場所となる対象区画Ａ１〜Ａ９の何れかに対応して、火災が発生した対象区画を仕切るシート展開装置１４の外側シート面に対応した開閉弁３５に開駆動信号を送信して開放させ、展開した仕切シート３６の外側シート面に冷却水を略均一に散布させる。
【００５２】
また、仕切シート３６は布織目の表面に樹脂等をコーティングしたものとコーティングしていないものがあり、非コーティングの仕切シート３６を使用した場合、冷却剤散布ヘッド２１から散布された冷却水は、展開した仕切シート３６の外側シート面を濡らし、散布した冷却水を布の織目構造をもつ仕切シート３６に含浸され、外側シート面に沿って流れ落ちる。このような冷却水の含浸と外側シート面に沿った流れ落ちにより、仕切シート３６の布織目の隙間が閉鎖され、遮煙性が向上し、仕切シート３６の外側への煙の拡散が抑制される。また、冷却水の含浸と外側シート面に沿った流れ落ちにより、仕切シート３６が冷却され、遮炎性と遮熱性が高められる。
【００５３】
ここで、冷却剤散布ヘッド２１から展開した仕切シート３６の外側シート面に冷却水を散布している理由は、仕切シート３６の展開で仕切られた対象区画内には消火ヘッド１８から消火泡を散布しており、散布された消火泡に冷却剤散布ヘッド２１からの散布水がかかると消火泡が消失することから、消火泡の消失を防ぐために仕切シート３６の外側シート面に冷却水を散布している。
【００５４】
なお、仕切シート３６の展開で仕切られた火災発生場所を含む対象区画に消火剤として消火用水を散布する場合には、内側シート面に冷却水を散布するようにしても良いし、シート面の内側と外側の両方に冷却水を散布するようにしても良い。
【００５５】
また、消火剤供給設備２６と冷却剤供給設備２７を共用し、同じく、消火配管３２と冷却配管３３を共用するようにしても良い。
【００５６】
［防災設備の制御動作］
図４は火災発生場所を囲む周囲４箇所に仕切シートを展開する防災設備の制御動作を示した説明図あり、冷却剤散布ヘッド２１は図示を省略している。図５は図４の仕切シートの展開に対する冷却水の散布を平面で示した説明図である。
【００５７】
図４に示すように、対象区画Ａ５で火災が発生して火災感知器１６が火災発報したとすると、火災発生場所として判別された対象区画Ａ５の上方の天井面に矩形配置された４台のシート展開装置１４のラッチ解除作動部４０が作動されて保持部材３８のラッチが解除され、ロール状に巻かれた仕切シート３６の保持が解除されて落下し、対象区画Ａ５の周囲４面を囲むように仕切シート３６が展開され、対象区画Ａ５の周囲が閉鎖される。
【００５８】
このため対象区画Ａ５で発生した火災による炎、煙及び熱は、その周囲を囲んで展開された仕切シート３６により遮られ、その外側への放出が抑制され、これにより実質的に防火区画を形成することができる。
【００５９】
また、仕切シート３６の展開で囲まれた対象区画Ａ５に対しては開閉弁２０の開駆動により消火ヘッド１８から消火泡が散布されるため、大倉庫といった防護空間１２の場合に、天井面に近い例えば数メートルを超える高い位置に消火ヘッド１８があっても、周囲に散逸することなく仕切シート３６で囲まれた対象区画Ａ５の中に集中的に散布され、対象区画Ａ５で発生している火災を確実に抑制し、消火させることが可能となる。
【００６０】
また、消火ヘッド１８から散布した消火泡は、周囲を囲んで展開された仕切シート３６に遮られて周囲へ漏れ出すことが抑制され、消火用水又は消火泡の散布による損害を必要最小限に抑えることが可能となる。
【００６１】
なお、仕切シート３６の展開により周囲が囲まれた対象区画Ａ５にあっては、４枚の仕切シート３６の合わせ目に隙間が発生するが、この隙間部分を閉鎖するように、例えばコーナー部分の内側を斜め横切るように補助用の仕切シートを展開して閉鎖するようにしてもよい。
【００６２】
また、図５に示すように、対象区画Ａ５を囲んで仕切シート３６を展開した４台のシート展開装置１４の外側に設けられた冷却剤散布ヘッド２１からは冷却水が外側シート面に対し散布され、仕切シート３６の遮炎性、遮煙性及び遮熱性が高められ、また、外側シート面に沿って流れ落ちることで高い冷却効果が得られることで、耐熱性が高められる。更に、展開した仕切シート３６に沿って冷却水が流れ落ちることで仕切シート３６の重量が増加し、シートを下に引いて広げる力が加わることで展開した仕切シート３６の張りを強くして形を保つことができる。
【００６３】
図６は火災発生場所を囲む周囲２箇所に仕切シートを展開する防災設備の制御動作を示した説明図であり、冷却剤散布ヘッド２１は図示を省略している。図７は図６の仕切シートの展開に対する冷却水の散布を平面で示した説明図である。
【００６４】
図６に示すように、対象区画Ａ７は防護空間１２のコーナーに位置することから、対象区画Ａ７で火災が発生した場合には、天井面側に配置された２台のシート展開装置１４の作動による仕切シート３６の展開で、火災発生場所となる対象区画Ａ７の外側を囲んで閉鎖し、消火ヘッド１８からの消火泡の散布により、火災を抑制消火することができる。
【００６５】
また、図７に示すように、対象区画Ａ７を囲んで仕切シート３６を展開した２台のシート展開装置１４の外側に設けられた冷却剤散布ヘッド２１からは冷却水が外側シート面に対し散布され、散布された冷却水は仕切シート３６に含浸して布織目が閉鎖されることで、遮炎性、遮煙性及び遮熱性が高められ、また、外側シート面に沿って流れ落ちることで高い冷却効果が得られ、耐熱性が高められる。
【００６６】
この点は、防護空間１２のコーナーに位置する図１に示した対象区画Ａ１，Ａ３，Ａ９についても同様である。
【００６７】
更に、図１に示した対象区画Ａ２，Ａ４，Ａ６，Ａ８については、それぞれ３台のシート展開装置１４を作動して仕切シート３６を展開させることで、火災発生場所となる各対象区画Ａ２，Ａ４，Ａ６，Ａ８の外側を囲んで閉鎖し、消火ヘッド１８からの消火泡の散布により火災を抑制消火することができる。
【００６８】
更に、火災発生場所が対象区画の境界を含んでいた場合には、境界を挟む両側の対象区画に配置しているシート展開装置１４を作動して仕切シート３６を展開させる。
【００６９】
例えば、図１の対象区画Ａ４と対象区画Ａ５の境界を含む場所で火災が発生した場合には、対象区画Ａ４，Ａ５の両方を囲む６台のシート展開装置１４を作動して仕切シート３６を展開させ、消火ヘッド１８からの散布も対象区画Ａ４，Ａ５の両方で行う。
【００７０】
このとき、対象区画Ａ４，Ａ５の境界に位置するシート展開装置１４の仕切シート３６は、発生している火災を遮断するように展開されるが、場合によっては、対象区画Ａ４，Ａ５の境界に位置するシート展開装置１４は作動させないようにしても良い。
【００７１】
［多階層の仕切区画を形成する実施形態］
図８は火災発生場所を二重の仕切区画を形成して仕切る実施形態を平面で示した説明図、図９は二重の仕切区画の他の例を平面で示した説明図である。
【００７２】
図８に示すように、本実施形態にあっては、防護空間１２を平面でみて５×５＝２５の対象区画Ａ１〜Ａ２５に仕切って天井側にシート展開装置１４を配置している。シート展開装置１４は図２に示したと同じであり、また、対象区画Ａ１〜Ａ２５には、図１に示したように、火災感知器１６と消火ヘッド１８が設けられている。
【００７３】
ここで、斜線で示す中央の対象区画Ａ１３で火災が発生したとすると、対象区画Ａ１３を矩形に囲む４台のシート展開装置１４を太い実線で示すように動作して仕切シート３６を展開させ、対象区画Ａ１３を仕切る第１階層の仕切区画を形成する。
【００７４】
これ加え本実施形態にあっては、火災発生場所を含む対象区画Ａ１３の外側に隣接する対象区画Ａ７，Ａ８，Ａ９，Ａ１４，Ａ１９，Ａ１８，Ａ１７，Ａ１２の外側を仕切るように、１２台のシート展開装置を太い実線で示すように動作して仕切りシート３６を展開させて第２階層の仕切区画を形成し、火災発生場所を二重に囲む仕切区画を形成する。
【００７５】
この場合、火災発生場所を含む対象区画Ａ１３に対して消火ヘッド１８から消火泡を散布し、また、対象区画Ａ１３を囲む第１階層の４台のシート展開装置１４につき、冷却剤散布ヘッド２１から冷却水を外側シート面に散布する。また、第２階層についても冷却水を散布しても良い。このとき、冷却水による水損を抑制するため、例えば、第２階層の冷却水は第１階層より少量としても良い。
【００７６】
ここで、第２階層の区画を仕切る仕切シートに対する冷却水の散布は、対象区画側の面（内側シート面）に対して行うようにしても良い。このようにすれば、第２階層の外側区画への水損が更に防止される。
【００７７】
このように本実施形態は、火災発生場所に対して第１階層と第２階層の仕切区画を形成して二重に囲むようにシート展開装置１４を作動させることで、仕切区画の外側に対する遮炎性、遮煙性、遮熱性を更に高めることができる。
【００７８】
なお、図８の太い実線と太い破線の計２０台のシート展開装置を動作して二重の仕切区画を形成するようにしても良い。この場合も、太い実線のシート展開装置の仕切シート外側面に冷却水を散布するようにすれば良いし、場合によって内側面に散布するようにしても良い。
【００７９】
また、本実施形態にあっては、火災発生場所を含む対象区画の仕切状況に応じて外側を仕切るようにシート展開装置１４を動作させる。図９（Ａ）はコーナーに近い対象区画Ａ１９で火災が発生した場合であり、その周囲を囲む対象区画Ａ１３，Ａ１４，Ａ１５，Ａ２０，Ａ２５，Ａ２４，Ａ２３，Ａ１８の外側を仕切るように、６台のシート展開装置１４を太い実線で示すように作動して仕切シート３６を展開させ、火災発生場所を二重に囲む仕切区画を形成する。
【００８０】
また、図９（Ｂ）はコーナーに近い壁際の対象区画Ａ２４で火災が発生した場合であり、その周囲を囲む対象区画Ａ２３，Ａ１８，Ａ１９，Ａ２０，Ａ２５の外側を仕切るように、５台のシート展開装置１４を太い実線で示すように作動して仕切シート３６を展開させ、火災発生場所を二重に囲む仕切区画を形成する。
【００８１】
また、図９（Ｃ）はコーナーの対象区画Ａ２５で火災が発生した場合であり、その周囲を囲む対象区画Ａ２４，Ａ１９，Ａ２０の外側を仕切るように、４台のシート展開装置１４を太い実線で示すように動作して仕切シート３６を展開させ、火災発生場所を二重に囲む仕切区画を形成する。
【００８２】
これ以外の対象区画で火災が発生した場合にも、同様に二重に囲む仕切区画を形成するように、シート展開装置１４を作動させる。
【００８３】
また、火災発生場所を中心とした多階層の仕切区画の形成は、防護空間の利用状況や防護したい状況に合わせ、三重、四重等のように更に多階層の仕切区画を形成するように仕切シート３６を展開しても良い。この場合、例えば、一部を二重とし、他を三重というように異なる階層数を組み合わせて仕切るようにしても良い。
【００８４】
［本発明の変形例］
（対象施設）
上記の実施形態は、対象施設として広い防護空間をもつ倉庫等を対象にしているが、これに限定されず、適宜の施設に適用することができる。例えば、倉庫以外に、トンネル、展示施設、駐車施設、大規模工場等が対象となり得る。
【００８５】
また、倉庫は、倉庫内に荷物をバラ積みする一般倉庫以外に、多数のラック棚が配置されたラック倉庫があり、ラック倉庫にはラック棚に対しフォークリフトの運転により荷物を出し入れする手動倉庫と、スタッカクレーンによりラック棚に対し荷物を自動的に出し入れする自動倉庫があるが、いずれも本発明による防災設備の対象に含まれる。
【００８６】
（多重の仕切区画）
また、対象区画の外側区画を仕切って多重の仕切区画を形成した場合、これらの仕切シートへの冷却水の散布は、一部について行えるようにしても良く、防護の目的に合わせて全部又は一部の内側、外側、両側への散布を、適宜おこなうようにすることができる。
【００８７】
（シート展開装置）
上記の実施形態は、防護空間の上部平面に複数のシート展開装置を格子状に配置した場合を例にとっているが、火災発生場所を取り囲むように仕切シートを展開することができれば、シート展開装置の配置は必要に応じて適宜の配置とする。
【００８８】
また、対象区画の横幅が長くなる場合は、複数台のシート展開装置を横に並べて配置する。この場合、隣接する仕切シートが端部で重なって隙間を塞ぐように複数台のシート展開装置を横に並べて配置する。
【００８９】
（火災検知手段）
また、上記の実施形態は、火災検知手段として、スポット型の火災感知器により対象区画の火災を検知しているが、これに限定されず、減光式分離型の火災感知器、水平及び垂直回りに走査して火災位置を検知する走査型火災検知器、火災による炎を検知する炎検知器、対象区画の画像を監視カメラで撮像して火災を検知する装置等、火災発生場所となる対象区画を特定できるものであれば、適宜の火災を検知する装置を含む。
【００９０】
（その他）
また、本発明はその目的と利点を損なうことのない適宜の変形を含み、更に上記の実施形態に示した数値による限定は受けない。
【符号の説明】
【００９１】
１０：防災設備
１２：防護空間
１４：シート展開装置
１６：火災感知器
１８：消火ヘッド
２０，３５：開閉弁
２１：冷却剤散布ヘッド
２２：シート展開制御装置
２４：火災受信盤
２６：消火剤供給設備
２７：冷却剤供給設備
２８：消火制御盤
３０ａ〜３０ｄ：信号回線
３２：消火配管
３３：冷却配管
３４：装置本体
３６：仕切シート
３７：シート固定部
３８：保持部材
４０：ラッチ解除作動部
Ａ１〜Ａ２５：対象区画
【図１】
2020080953.tif 000003
【図２】
2020080953.tif 000004
【図３】
2020080953.tif 000005
【図４】
2020080953.tif 000006
【図５】
2020080953.tif 000007
【図６】
2020080953.tif 000008
【図７】
2020080953.tif 000009
【図８】
2020080953.tif 000010
【図９】
2020080953.tif 000011